(57)【要約】【課題】撮影画像を構成する複数の部分画像の合成処理を短時間で行うことのできる部分画像合成処理装置を提供すること。【解決手段】ＣＣＤ１１１ａ〜１１１ｄから構成された撮像素子１１と、各ＣＣＤ１１１ａ〜１１１ｄで撮像された各部分画像の画像データに対してＪＰＥＧ圧縮等を行う圧縮処理部１３ａ〜１３ｄと、各圧縮処理部１３で処理された圧縮データを一時記憶するバッファ１５と、圧縮データをバッファ１５から読み出して１つの画像ファイルに合成する圧縮データ合成部１７と、記憶メディア１９とを備える。各圧縮処理部１３は、８種類（ＦＦＤ０〜ＦＦＤ７）のリスタートマーカを循環して圧縮データ内に挿入し、圧縮データの最後尾には特別のリスタートマーカＦＦＤ９を挿入するリスタートマーカ挿入部１３５１と、リスタートマーカが挿入された圧縮データのデータ長を計数するデータ長カウンタ１３５３を備えたＪＰＥＧ圧縮部１３５を有する。【選択図】    図１
2004228792.tif 000002
【特許請求の範囲】
【請求項１】
撮影画像を構成する複数の部分画像の合成処理を行う部分画像合成処理装置であって、
前記部分画像の画像データを圧縮する部分画像圧縮手段と、
前記部分画像圧縮手段で圧縮された圧縮データ内に複数種類のリスタートマーカを当該圧縮データの先頭から循環的に挿入し、前記圧縮データの最後尾に特別のリスタートマーカを挿入するリスタートマーカ挿入手段と、
前記リスタートマーカ挿入手段によって前記リスタートマーカおよび前記特別のリスタートマーカが挿入された圧縮データのデータ長を計数するデータ長計数手段と、
前記リスタートマーカが挿入された各部分画像の圧縮データを記憶する圧縮データ記憶手段と、
前記データ長計数手段によって計数されたデータ長に従って特定された前記圧縮データ記憶手段内の領域から、前記特別のリスタートマーカを検出する特別リスタートマーカ検出手段と、
前記圧縮データの先頭に挿入されたリスタートマーカから前記特別のリスタートマーカまでの圧縮データを前記圧縮データ記憶手段から読み出して、前記特別のリスタートマーカを前記リスタートマーカに含まれる最後のリスタートマーカに付け替えるリスタートマーカ付替手段と、を備え、
前記部分画像圧縮手段、前記リスタートマーカ挿入手段および前記データ長計数手段は、前記撮影画像を構成する各部分画像に対して各処理を行い、
前記特別リスタートマーカ検出手段および前記リスタートマーカ付替手段は、前記撮影画像を構成する全ての部分画像に対して各処理を行うことを特徴とする部分画像合成処理装置。
【請求項２】
前記データ長計数手段によって計数されたデータ長を示す情報と、前記圧縮データの部分画像が前記撮影画像中のどの位置に属するかを示す情報とを含むヘッダを、前記リスタートマーカ挿入手段によって前記リスタートマーカおよび前記特別のリスタートマーカが挿入された圧縮データに付与するヘッダ付与手段と、
前記圧縮データ記憶手段に記憶されている各部分画像の圧縮データに付与されたヘッダを参照して、前記リスタートマーカ付替手段による圧縮データの読出順序を決定する読出順序決定手段と、
を備えたことを特徴とする請求項１記載の部分画像合成処理装置。
【請求項３】
前記部分画像圧縮手段は、ＪＰＥＧ方式による圧縮を行うことを特徴とする請求項１または２記載の部分画像合成処理装置。
【請求項４】
部分画像を撮像する複数の撮像手段から構成された撮像素子と、請求項１、２または３記載の部分画像合成処理装置と、を備えたことを特徴とする撮像装置。
【請求項５】
撮影画像を構成する複数の部分画像の合成処理を行う部分画像合成処理方法であって、
前記部分画像の画像データを圧縮する部分画像圧縮ステップと、
前記部分画像圧縮ステップで圧縮された圧縮データ内に複数種類のリスタートマーカを当該圧縮データの先頭から循環的に挿入し、前記圧縮データの最後尾に特別のリスタートマーカを挿入するリスタートマーカ挿入ステップと、
前記リスタートマーカ挿入ステップで前記リスタートマーカおよび前記特別のリスタートマーカが挿入された圧縮データのデータ長を計数するデータ長計数ステップと、
前記リスタートマーカが挿入された各部分画像の圧縮データを圧縮データ記憶手段に記憶する圧縮データ記憶ステップと、
前記データ長計数ステップで計数されたデータ長に従って特定された前記圧縮データ記憶手段内の領域から、前記特別のリスタートマーカを検出する特別リスタートマーカ検出ステップと、
前記圧縮データの先頭に挿入されたリスタートマーカから前記特別のリスタートマーカまでの圧縮データを前記圧縮データ記憶手段から読み出して、前記特別のリスタートマーカを前記リスタートマーカに含まれる最後のリスタートマーカに付け替えるリスタートマーカ付替ステップと、を有し、
前記部分画像圧縮ステップ、前記リスタートマーカ挿入ステップおよび前記データ長計数ステップは、前記撮影画像を構成する各部分画像に対して各処理を行い、
前記特別リスタートマーカ検出ステップおよび前記リスタートマーカ付替ステップは、前記撮影画像を構成する全ての部分画像に対して各処理を行うことを特徴とする部分画像合成処理方法。
【請求項６】
前記データ長計数ステップで計数されたデータ長を示す情報と、前記圧縮データの部分画像が前記撮影画像中のどの位置に属するかを示す情報とを含むヘッダを、前記リスタートマーカ挿入ステップで前記リスタートマーカおよび前記特別のリスタートマーカが挿入された圧縮データに付与するヘッダ付与ステップと、
前記圧縮データ記憶手段に記憶されている各部分画像の圧縮データに付与されたヘッダを参照して、前記リスタートマーカ付替ステップによる圧縮データの読出順序を決定する読出順序決定ステップと、
を有することを特徴とする請求項５記載の部分画像合成処理方法。
【請求項７】
前記部分画像圧縮ステップは、ＪＰＥＧ方式による圧縮を行うことを特徴とする請求項５または６記載の部分画像合成処理方法。
【請求項８】
請求項５、６または７に記載の部分画像合成処理方法をコンピュータに実行させるための部分画像合成処理プログラム。
【発明の詳細な説明】
【０００１】
【発明の属する技術分野】
本発明は、撮影画像を構成する複数の部分画像の合成処理を行う部分画像合成処理装置、部分画像合成処理方法および部分画像合成処理プログラムに関する。
【０００２】
【従来の技術】
デジタルカメラ等で撮像された画像は、その画像データが圧縮処理されることが多い。このとき利用される圧縮方式の１つに「ＪＰＥＧ方式」がある。しかし、当該ＪＰＥＧ方式による圧縮は画像１枚単位での処理が通例であるため、画像のデータサイズが大きいと圧縮処理に要する時間が長くなってしまう。とりわけ、今日市場に出回っているデジタルカメラの撮像素子はその画素数が多いため、原画像１枚当たりのデータサイズは大きい。
【０００３】
このため、特開２００２−８４４９３号公報に記載の固体撮像装置では、左右水平２チャンネル出力を有する固体撮像素子から出力される２チャンネルの出力信号に対して並列にＹＣ変換やＪＰＥＧ圧縮等の処理を行っている。また、図８に示すように、ＪＰＥＧ圧縮処理時には各チャネルのＪＰＥＧデータ５０，５１に１〜８の番号で示すリスタートマーカをそれぞれ別個に挿入して、リスタートマーカが挿入された２つのＪＰＥＧファイル（ＪＰＥＧ０，ＪＰＥＧ１）をそれぞれメモリに書き込んでいる。
【０００４】
そして、これら２つのＪＰＥＧファイルを合成して１つの画像ファイルを生成する際には、メモリから各ＪＰＥＧファイルを時系列的に読み出して、リスタートマーカを検出するとＪＰＥＧファイルの読み出しを切り換え、リスタートマーカを付け替えている。例えば、ＪＰＥＧ０のファイルを読んでいる時にリスタートマーカ１を検出すると、ファイルの読み出しを切り換えてＪＰＥＧ１のファイルを読みに行き、そこで再びリスタートマーカ１を検出するとリスタートマーカを２に付け替えて、次にＪＰＥＧ０のファイルを読みに行く。この動作を繰り返すことによって、２つのＪＰＥＧファイルに分かれた左右の画像データが合成され、１つの画像ファイルが生成されることになる。
【０００５】
したがって、当該公報に記載の固体撮像装置では、複数のＪＰＥＧファイルイメージを１つの画像ファイルに合成することができ、かつ、固定撮像素子で撮像された画像データに対してＪＰＥＧ圧縮処理が並列に行われるため処理を高速化することができる。
【０００６】
【特許文献１】
特開２００２−８４４９３号公報
【０００７】
【発明が解決しようとする課題】
しかしながら、上記公報に記載の固体撮像装置にあっては、複数のＪＰＥＧファイルを合成する際に、リスタートマーカを検出しながらＪＰＥＧファイルの読み出しを切り換えている。このため、処理が煩雑となり、結果として合成処理に時間がかかるという問題点があった。
【０００８】
本発明は、上記従来の問題点に鑑みてなされたものであって、撮影画像を構成する複数の部分画像の合成処理を短時間で行うことのできる部分画像合成処理装置、部分画像合成処理方法および部分画像合成処理プログラムを提供することを目的としている。
【０００９】
【課題を解決するための手段】
上記目的を達成するために、本発明に係る部分画像合成処理装置は、撮影画像を構成する複数の部分画像の合成処理を行う部分画像合成処理装置であって、前記部分画像の画像データを圧縮する部分画像圧縮手段と、前記部分画像圧縮手段で圧縮された圧縮データ内に複数種類のリスタートマーカを当該圧縮データの先頭から循環的に挿入し、前記圧縮データの最後尾に特別のリスタートマーカを挿入するリスタートマーカ挿入手段と、前記リスタートマーカ挿入手段によって前記リスタートマーカおよび前記特別のリスタートマーカが挿入された圧縮データのデータ長を計数するデータ長計数手段と、前記リスタートマーカが挿入された各部分画像の圧縮データを記憶する圧縮データ記憶手段と、前記データ長計数手段によって計数されたデータ長に従って特定された前記圧縮データ記憶手段内の領域から、前記特別のリスタートマーカを検出する特別リスタートマーカ検出手段と、前記圧縮データの先頭に挿入されたリスタートマーカから前記特別のリスタートマーカまでの圧縮データを前記圧縮データ記憶手段から読み出して、前記特別のリスタートマーカを前記リスタートマーカに含まれる最後のリスタートマーカに付け替えるリスタートマーカ付替手段と、を備え、前記部分画像圧縮手段、前記リスタートマーカ挿入手段および前記データ長計数手段は、前記撮影画像を構成する各部分画像に対して各処理を行い、前記特別リスタートマーカ検出手段および前記リスタートマーカ付替手段は、前記撮影画像を構成する全ての部分画像に対して各処理を行う。
【００１０】
このように、圧縮データの最後尾に特別のリスタートマーカを挿入して、データ長に従って圧縮データ記憶手段内の圧縮データが記憶されている領域を特定した上で特別のリスタートマーカを検出しているため、効率良く短時間で特別のリスタートマーカを検出することができる。結果として、撮影画像を構成する複数の部分画像の合成処理を短時間で行うことができる。
【００１１】
また、本発明に係る部分画像合成処理装置は、前記データ長計数手段によって計数されたデータ長を示す情報と、前記圧縮データの部分画像が前記撮影画像中のどの位置に属するかを示す情報とを含むヘッダを、前記リスタートマーカ挿入手段によって前記リスタートマーカおよび前記特別のリスタートマーカが挿入された圧縮データに付与するヘッダ付与手段と、前記圧縮データ記憶手段に記憶されている各部分画像の圧縮データに付与されたヘッダを参照して、前記リスタートマーカ付替手段による圧縮データの読出順序を決定する読出順序決定手段と、を備えている。したがって、部分画像の合成処理をスムーズに行うことができる。
【００１２】
また、本発明に係る部分画像合成処理装置は、前記部分画像圧縮手段は、ＪＰＥＧ方式による圧縮を行うことが望ましい。
【００１３】
また、本発明に係る撮像装置は、部分画像を撮像する複数の撮像手段から構成された撮像素子と、請求項１、２または３記載の部分画像合成処理装置と、を備えている。
【００１４】
また、本発明に係る部分画像合成方法は、撮影画像を構成する複数の部分画像の合成処理を行う部分画像合成処理方法であって、前記部分画像の画像データを圧縮する部分画像圧縮ステップと、前記部分画像圧縮ステップで圧縮された圧縮データ内に複数種類のリスタートマーカを当該圧縮データの先頭から循環的に挿入し、前記圧縮データの最後尾に特別のリスタートマーカを挿入するリスタートマーカ挿入ステップと、前記リスタートマーカ挿入ステップで前記リスタートマーカおよび前記特別のリスタートマーカが挿入された圧縮データのデータ長を計数するデータ長計数ステップと、前記リスタートマーカが挿入された各部分画像の圧縮データを圧縮データ記憶手段に記憶する圧縮データ記憶ステップと、前記データ長計数ステップで計数されたデータ長に従って特定された前記圧縮データ記憶手段内の領域から、前記特別のリスタートマーカを検出する特別リスタートマーカ検出ステップと、前記圧縮データの先頭に挿入されたリスタートマーカから前記特別のリスタートマーカまでの圧縮データを前記圧縮データ記憶手段から読み出して、前記特別のリスタートマーカを前記リスタートマーカに含まれる最後のリスタートマーカに付け替えるリスタートマーカ付替ステップと、を有し、前記部分画像圧縮ステップ、前記リスタートマーカ挿入ステップおよび前記データ長計数ステップは、前記撮影画像を構成する各部分画像に対して各処理を行い、前記特別リスタートマーカ検出ステップおよび前記リスタートマーカ付替ステップは、前記撮影画像を構成する全ての部分画像に対して各処理を行う。
【００１５】
また、本発明に係る部分画像合成方法は、前記データ長計数ステップで計数されたデータ長を示す情報と、前記圧縮データの部分画像が前記撮影画像中のどの位置に属するかを示す情報とを含むヘッダを、前記リスタートマーカ挿入ステップで前記リスタートマーカおよび前記特別のリスタートマーカが挿入された圧縮データに付与するヘッダ付与ステップと、前記圧縮データ記憶手段に記憶されている各部分画像の圧縮データに付与されたヘッダを参照して、前記リスタートマーカ付替ステップによる圧縮データの読出順序を決定する読出順序決定ステップと、を有する。
【００１６】
また、本発明に係る部分画像合成方法は、前記部分画像圧縮ステップは、ＪＰＥＧ方式による圧縮を行う。
【００１７】
さらに、本発明に係る部分画像合成プログラムは、請求項５、６または７に記載の部分画像合成処理方法をコンピュータに実行させるためのものである。
【００１８】
【発明の実施の形態】
以下、本発明に係る部分画像合成処理装置および部分画像合成処理方法の実施の形態について、図面を参照して詳細に説明する。但し、以下の説明では、本実施形態の部分画像合成処理装置と撮像手段としての撮像素子を備えたデジタルカメラやデジタルビデオ等の撮像装置を例に説明する。なお、当該撮像装置には、小型メモリカード等の記憶メディアが装着されているものとする。
【００１９】
また、以下の説明では、本発明に係る部分画像合成処理装置および部分画像合成処理方法について詳述するが、本発明に係る部分画像合成処理プログラムについては、部分画像合成処理方法を実行させるためのプログラムであることから、その説明は以下の部分画像合成処理方法の説明に含まれる。
【００２０】
図１は、本発明に係る一実施形態の撮像装置を示すブロック図である。本実施形態の撮像装置は、同図に示すように、撮像素子１１と、４つの圧縮処理部１３ａ〜１３ｄと、特許請求の範囲の圧縮データ記憶手段に該当するバッファ１５と、特別リスタートマーカ検出手段、リスタートマーカ付替手段および読出順序決定手段に該当する圧縮データ合成部１７と、記憶メディア１９とを備えて構成されている。なお、各圧縮処理部１３ａ〜１３ｄは、ＹＣ変換部１３１と、メモリ１３３と、部分画像圧縮手段に該当するＪＰＥＧ圧縮部１３５とを有して構成されており、特に、ＪＰＥＧ圧縮部１３５は、リスタートマーカ挿入手段に該当するリスタートマーカ挿入部１３５１と、データ長計数手段に該当するデータ長カウンタ１３５３と、ヘッダ付与手段に該当するヘッダ付与部１３５５を含んでいる。
【００２１】
以下、本実施形態の撮像装置が有する各構成要素について説明する。
まず、撮像素子１１は、画像を撮影するための固定撮像素子であり、本実施形態では特許請求の範囲の撮像手段に該当する４つのＣＣＤ１１１ａ〜１１１ｄによって構成されている。なお、１枚の画像は、図２に示すように、各ＣＣＤ１１１ａ〜１１１ｄで撮像された部分画像＃１〜＃４を合成することによって得られる。また、圧縮処理部１３ａ〜１３ｄは、撮像素子１１の各ＣＣＤ１１１ａ〜１１１ｄで撮像された部分画像の画像データに対してＪＰＥＧ圧縮等を行うものである。本実施形態では、ＣＣＤ１１１ａで撮像された部分画像の画像データに対しては圧縮処理部１３ａがＪＰＥＧ圧縮等を行い、同様に、ＣＣＤ１１１ｂに対しては圧縮処理部１３ｂが、ＣＣＤ１１１ｃに対しては圧縮処理部１３ｃが、ＣＣＤ１１１ｄに対しては圧縮処理部１３ｄがＪＰＥＧ圧縮等を行う。
【００２２】
以下、圧縮処理部１３が有する各構成要素について説明する。まず、ＹＣ変換部１３１は、対応するＣＣＤ１１１から送られたＲＧＢまたはＣＭＹの画像データを輝度成分（Ｙ）と色成分（Ｃ）のデータに変換するものである。また、メモリ１３３は、ＹＣ変換された画像データを一時記憶するものである。また、ＪＰＥＧ圧縮部１３５は、メモリ１３３から画像データを読み出してＪＰＥＧ圧縮を行うものである。但し、ＪＰＥＧ圧縮時には、リスタートマーカ挿入部１３５１によって圧縮データ中にリスタートマーカが挿入され、リスタートマーカが挿入された圧縮データのデータ長がデータ長カウンタ１３５３によって計数され、ヘッダ付与部１３５５によって各圧縮データ毎にヘッダが付与される。
【００２３】
より詳しくは、リスタートマーカ挿入部１３５１は、８種類（ＦＦＤ０〜ＦＦＤ７）のリスタートマーカを循環して圧縮データ内に挿入し、特に本実施形態では、圧縮データの最後尾に特別のリスタートマーカＦＦＤ９を挿入する。図３に、リスタートマーカが挿入された圧縮データのイメージ図を示す。また、データ長カウンタ１３５３は、リスタートマーカ挿入部１３５１によってリスタートマーカが挿入された圧縮データのデータ長を計数する。さらに、ヘッダ付与部１３５５は、データ長カウンタ１３５３によって計数されたデータ長を示す情報を含むヘッダを作成して、圧縮データに付与する。なお、当該ヘッダには、データ長を示す情報の他に、当該圧縮データの部分画像が撮影画像中のどの位置に属するかについての情報も含まれる。
【００２４】
また、バッファ１５は、各圧縮処理部１３ａ〜１３ｄで処理された圧縮データを一時記憶するものである。また、圧縮データ合成部１７は、各圧縮処理部１３ａ〜１３ｄで処理された圧縮データをバッファ１５から読み出して、１つの画像ファイルに合成するものである。より具体的には、圧縮データ合成部１７は、まず、各圧縮データのヘッダを参照して圧縮データの読出順序を決定する。次に、決められた順序に従って、圧縮データのヘッダに含まれているデータ長を示す情報によるデータ長分のバッファ１５内領域を特定およびスキャンして、特別のリスタートマーカＦＦＤ９を検出する。そして、部分画像における先頭のリスタートマーカＦＦＤ０から特別のリスタートマーカＦＦＤ９までの圧縮データをバッファ１５から読み出し、図４に示すように、特別のリスタートマーカＦＦＤ９を通常のリスタートマーカＦＦＤ７に付け替える。
【００２５】
このように、決められた順序に従って、各圧縮データに対し、データ長を示す情報に従ってバッファ１５内の特定された領域をスキャンして、特別のリスタートマーカＦＦＤ９を検出した後、リスタートマーカＦＦＤ０〜ＦＦＤ９の圧縮データをバッファ１５から読み出して、特別のリスタートマーカＦＦＤ９をＦＦＤ７に付け替えるといった動作を行えば、最終的には全ての圧縮データが連結され、１つの画像ファイルが合成されることとなる。なお、当該合成された画像ファイルのヘッダは、圧縮処理部１３のヘッダ付与部１３５５で付与されたヘッダに基づいて作成され付与される。また、圧縮データ合成部１７には、合成途中のデータを記憶しておくためのメモリ（図示せず）が含まれている。
【００２６】
記憶メディア１９は、このようにして圧縮データ合成部１７で合成された画像ファイルを格納しておくための記録媒体である。記憶メディアに格納された画像ファイルを表示部（図示せず）に表示させるときは、記憶メディア１９から画像ファイルが読み出され、ＪＰＥＧ伸長部（図示せず）で伸長され表示される。
【００２７】
次に、本実施形態の撮像装置の動作（部分画像合成処理方法）について、図５および図６を参照して簡単に説明する。図５および図６は、本実施形態の撮像装置が行う動作について説明するフローチャートである。まず、ステップＳ１０１では撮像素子１１が撮像を行う。次に、ステップＳ１０３では、圧縮処理部１３ａ〜１３ｄが、撮像素子１１の各ＣＣＤ１３ａ〜１３ｄから画像データを読み込む。次に説明するステップＳ１０５〜Ｓ１１５は、各圧縮処理部１３ａ〜１３ｄで並列に実行されるステップである。ステップＳ１０５では、読み込まれた画像データをＹＣ変換部１３１がＹＣ変換する。次に、ステップＳ１０７では、ＪＰＥＧ圧縮部１３５がＹＣ変換された画像データに対してＪＰＥＧ圧縮を行う。
【００２８】
次に、ステップＳ１０９では、リスタートマーカ挿入部１３５１が圧縮データにリスタートマーカを挿入する。次に、ステップＳ１１１では、データ長カウンタ１３５３が、リスタートマーカの挿入された圧縮データのデータ長を計数する。次に、ステップＳ１１３では、ヘッダ付与部１３５５が、ステップＳ１１１で計数されたデータ長を示す情報を含むヘッダを作成して、圧縮データに付与する。次に、ステップＳ１１５では、圧縮処理部１３で処理された圧縮データをバッファ１５に書き込む。
【００２９】
次に、ステップＳ１１７では、各圧縮データのヘッダを参照してバッファ１５から読み出す圧縮データの順序を決定する。次に、ステップＳ１１９では、ステップＳ１１７で決められた順序に従って、読み出す対象となっている圧縮データのデータ長分のバッファ１５内領域をスキャンして、特別のリスタートマーカＦＦＤ９を検出する。次にステップＳ１２１では、先頭のリスタートマーカＦＦＤ０から特別のリスタートマーカＦＦＤ９までの圧縮データをバッファ１５から読み出す。次に、ステップＳ１２３では、特別のリスタートマーカＦＦＤ９を通常のリスタートマーカＦＦＤ７に付け替える。
【００３０】
次に、ステップＳ１２５では、合成のため必要な全ての圧縮データを全て読み出したかを判断し、全て読み出したのであれば（ＹＥＳの場合）ステップＳ１２７に進み、まだ読み出していない圧縮データがあれば（ＮＯの場合）ステップＳ１１９に戻る。ステップＳ１２７では、合成された画像ファイルを記憶メディア１９に格納して、一連の処理を終了する。
【００３１】
以上説明したように、本実施形態の部分画像合成処理装置を含む撮像装置および部分画像合成処理方法では、圧縮データに挿入するリスタートマーカに圧縮データの最後尾を示す特別のリスタートマーカＦＦＤ９を用意して、データ長を示す情報に従ってバッファ１５内のスキャンする領域を特定した上で特別のリスタートマーカＦＦＤ９を検出している。このように、バッファ１５内のスキャンする領域が特定の領域に特定されるため、効率良く短時間でリスタートマーカＦＦＤ９を検出することができる。結果として、複数のＣＣＤ１１１ａ〜１１１ｄから構成される撮像素子によって得られた部分画像の合成処理を短時間で行うことができる。また、各ＣＣＤ１１１ａ〜１１１ｄによる画像データは並列して圧縮処理が行われ、当該合成処理も短時間で行われるため、原画像１枚当たりのデータサイズが大きくても短時間のうちに記憶メディア１９に書き込むことができる。
【００３２】
なお、本実施形態では、ＹＣ変換された画像データを一時記憶しておくためのメモリ１３３が各圧縮処理部１３ａ〜１３ｃに設けられているが、図７に示すように、各圧縮処理部２１ａ〜２１ｃ共通に１つのメモリ２３を設けても良い。
【００３３】
【発明の効果】
以上説明したように、本発明に係る部分画像合成処理装置、部分画像合成処理方法および部分画像合成処理プログラムによれば、圧縮データの最後尾に特別のリスタートマーカを挿入して、データ長に従って圧縮データ記憶手段内の圧縮データが記憶されている領域を特定した上で特別のリスタートマーカを検出しているため、効率良く短時間で特別のリスタートマーカを検出することができる。結果として、撮影画像を構成する複数の部分画像の合成処理を短時間で行うことができる。
【図面の簡単な説明】
【図１】本発明に係る一実施形態の撮像装置を示すブロック図
【図２】撮像素子によって撮像された４つの部分画像から構成された画像のイメージ図
【図３】リスタートマーカが挿入された圧縮データのイメージ図
【図４】特別のリスタートマーカＦＦＤ９を一般のリスタートマーカＦＦＤ７に付け替えた圧縮データのイメージ図
【図５】本発明に係る一実施形態の撮像装置が行う動作について説明するフローチャート
【図６】本発明に係る一実施形態の撮像装置が行う動作について説明するフローチャート
【図７】本発明に係る他の実施形態の撮像装置を示すブロック図
【図８】特開２００２−８４４９３号公報に記載の固体撮像装置が行うリスタートマーカの付け替え時のメモリイメージ図
【符号の説明】
１１  撮像素子
１３ａ〜１３ｄ  圧縮処理部
１５  バッファ
１７  圧縮データ合成部
１９  記憶メディア
１１１  ＣＣＤ
１３１  ＹＣ変換部
１３３  メモリ
１３５  ＪＰＥＧ圧縮部
１３５１  リスタートマーカ挿入部
１３５３  データ長カウンタ
１３５５  ヘッダ付与部
【図１】
2004228792.tif 000003
【図２】
2004228792.tif 000004
【図３】
2004228792.tif 000005
【図４】
2004228792.tif 000006
【図５】
2004228792.tif 000007
【図６】
2004228792.tif 000008
【図７】
2004228792.tif 000009
【図８】
2004228792.tif 000010